(57)【要約】【課題】自動原稿搬送機構を備えた画像読取装置において、工具等を用いてガイド部材を原稿押圧板から取り外すことなく、原稿読取位置の直上流及び直下流に配設された搬送ローラを容易に清掃することができる手段を提供することを目的とする。【解決手段】  装置本体１０１の原稿読取面１２に対して原稿押圧板１０２が開閉可能に設けられ、原稿押圧板１０２に固定されて横向きＵ字状の搬送路３の内側ガイド面３３０を構成するガイド部材３０に搬送路３の原稿読取面１２と相対する位置に形成された原稿読取用開口２０の直上流の第１搬送ローラ６ｃ及び直下流の第２搬送ローラ６ｄが軸支され、ガイド部材３０に前記両搬送ローラ６ｃ，６ｄを原稿読取用開口２０を通じて露出するアクセス部３３３が凹設され、アクセス部３３３を覆うアクセス部カバー３４，３５が原稿読取用開口２０を通じてガイド部材３０に着脱可能に設けられた画像読取装置１００。【選択図】図９
2005167808.tif 000002
【特許請求の範囲】
【請求項１】
移動する原稿の画像を読取る移動原稿読取面を備えた装置本体の上面に対して原稿押圧板が開閉可能に設けられ、該原稿押圧板に、原稿トレイから送り込まれた原稿を横向き略Ｕ字状の搬送路に沿って、該搬送路に配設された複数の搬送ローラにより、該原稿押圧板を前記装置本体の上面に対して閉じたとき前記移動原稿読取面の上方近傍に位置する移動原稿読取部へ搬送した後、排紙トレイへ排出する自動原稿搬送機構が装備された画像読取装置において、
前記原稿押圧板が、前記移動原稿読取部に形成された開口の端部から上流側及び下流側に向かってそれぞれ設けられ前記搬送路の折返し部分より下流側の搬送路の外側を構成する外側ガイド面を備えるカバー本体を具備し、
前記搬送路の折返し部分より下流側の搬送路に配設される搬送ローラの搬送面の一部を前記開口に対して露出させるアクセス部と、前記搬送路の折返し部分より下流側の搬送路の内側を構成する内側ガイド面と、を備え、前記搬送ローラを軸支するガイド部材が、前記カバー本体に固定され、
前記ガイド部材の内側ガイド面とともに前記搬送路の折返し部分より下流側の搬送路の内側を構成する内側ガイド面を備えるアクセス部カバー部材が、前記開口を介して前記ガイド部材に脱着可能に設けられることを特徴とする画像読取装置。
【請求項２】
前記アクセス部カバー部材が、
前記ガイド部材の内側ガイド面とともに前記開口より下流側の前記搬送路の内側を構成する内側ガイド面を備え、前記ガイド部材に脱着可能なガイドカバーと、
前記開口に対向する前記搬送路の内側を構成する内側ガイド面を備え、前記ガイド部材に脱着可能なプラテンガイドと、
からなることを特徴とする請求項１に記載の画像読取装置。
【請求項３】
前記プラテンガイドは、前記ガイド部材に揺動自在に軸支されるともに、前記ガイド部材との間に位置する弾性部材により前記開口側へ付勢され、端部から延出する係止片が前記開口側への揺動を規制するように前記ガイドカバーに係止されることによって、前記ガイド部材に脱着可能であることを特徴とする請求項２に記載の画像読取装置。
【発明の詳細な説明】
【技術分野】
【０００１】
本発明は、自動原稿搬送機構を装備し、装置本体の原稿読取面に対して開閉可能な原稿押圧板を有する、スキャナ、ファクシミリ、複写機等の画像読取装置に関する。
【背景技術】
【０００２】
スキャナ、ファクシミリ、複写機等の画像読取装置においては、装置本体にフラット・ベッド・スキャナ（以下、「ＦＢＳ」という。）を備えるとともに、装置本体の上面に対して開閉自在な原稿押圧板に複数枚の原稿を順次給紙するオート・ドキュメント・フィーダー（以下、「ＡＤＦ」という。）等の自動原稿搬送機構を装備したものがある。図１７はＡＤＦを装備した従来のコピー・ファクシミリ複合機９００であるが、該コピー・ファクシミリ複合機９００は、図に示すように、読み取るべき原稿を載置するプラテンガラス９０１が配設された読取載置台９０２と、該原稿をプラテンガラス９０１上に押圧して固定する原稿押圧板９０３とを具備してなり、図には示していないが、コピー・ファクシミリ複合機９００の本体には、記録用紙に画像を記録する画像記録部や画像を電送するための送信部、読み取った画像を記録するための記録用紙を供給する給紙カセット等が備えられている。
【０００３】
前記コピー・ファクシミリ複合機９００をＦＢＳとして用いて原稿を読取るときには、原稿押圧板９０３を開いて読取載置台９０２のプラテンガラス９０１上に文書等の原稿を載置して原稿押圧板９０３を閉じ、該原稿をスキャニングして画像を読取る。一方、原稿押圧板９０３に装備されたＡＤＦにて原稿を読取るときには、ＡＤＦが原稿トレイ９０４上に載置された複数枚のシート状の原稿を１枚ずつ連続的且つ自動的に搬送路９０５に沿って搬送し、読取位置Ｐ１において搬送されている原稿の画像を読取り、排出トレイ９０６に画像を読終った原稿を排出する。
【０００４】
前記搬送路９０５は、内側ガイド面９０５ａと外側ガイド面９０５ｂとが対向して横向きＵ字状に形成されており、該内側ガイド面９０５ａはガイド部材９０６により構成され、該外側ガイド面９０５ｂは原稿押圧板９０２の本体フレーム９０７及び上カバー９０８により構成されている。該搬送路９０５には、原稿を搬送するための搬送ローラ９０９ａ，９０９ｂ及び従動ローラ９１０が、それぞれニップした状態で配設されている。モータ等の駆動源から駆動伝達されて回転する搬送ローラ９０９ａ，９０９ｂは前記ガイド部材９０６に夫々軸支されて内側ガイド面９０５ａから一部を突出しており、従動ローラ９１０は、前記本体フレーム９０７及び上カバー９０８に回転自在且つ搬送ローラ９０９ａ，９０９ｂ方向へ付勢されて軸支されることにより外側ガイド面９０５ｂから突出している。各搬送ローラ９０９ａ，９０９ｂを軸支するガイド部材９０６は、前記本体フレーム９０７に固定されており、これにより搬送ローラ９０９ａ，９０９ｂ及び従動ローラ９１０がニップ状態で圧接され、搬送路９０５において原稿をニップして搬送するようになっている。
【０００５】
ところで、ＡＤＦにおいては原稿の紙詰り（ジャム）が生ずることがあり、ジャム解消のために前記搬送ローラ９０９ａ，９０９ｂ及び従動ローラ９１０のニップを開放する必要がある。ガイド部材９０６の上側に配置された搬送ローラ９０９ａと従動ローラ９１０とのニップは、図に示すように、上カバー９０８を開くことにより開放される（例えば特許文献１及び特許文献２参照）。一方、ガイド部材９０６の下側であって読取位置Ｐ１の直上流及び直下流に配置された搬送ローラ９０９ｂと従動ローラ９１０とのニップは、ガイド部材９０６が固定されているために開放することが不可能である。したがって、上カバー９０８を開いた際に搬送ローラ９０９ｂの駆動伝達を電磁クラッチにより切断して搬送ローラ９０９ｂを自由回転状態とし、搬送ローラ９０９ｂの上流側又は下流側から原稿を引き抜くことによりジャムを解消できるようになっている。
【０００６】
また、ＡＤＦにより多数の原稿を搬送するに伴い、原稿の未定着トナーや朱肉、筆記具のかす、紙粉などの異物が、前記搬送ローラ９０９ａ，９０９ｂ及び従動ローラ９１０の搬送面に付着していく。読取位置Ｐ１の上流側の搬送ローラ９０９ａ，９０９ｂ及び従動ローラ９１０に付着した異物は、後続の原稿により読取位置Ｐ１まで運ばれてプラテンガラス９０１に付着し、その結果、読取り画像に黒すじ等が現われるという問題が生じる。また、読取位置Ｐ１の下流側の搬送ローラ９０９ｂ及び従動ローラ９１０に異物が付着すると、搬送ローラ９０９ｂ及び従動ローラ９１０によって搬送される原稿に滑りが発生して搬送速度に影響を与え、読取り画像に歪みが起こるという問題が生じる。更に、読取位置Ｐ１の下流側に、原稿の裏面の画像読取りを行うＣＩＳ読取りユニット９１１が設けられている場合には、読取位置Ｐ１の下流側の搬送ローラ９０９ｂ及び従動ローラ９１０に付着した異物は、後続の原稿により運ばれてＣＩＳ読取りユニット９１１やプラテンローラ９１２に付着して、裏面の読取り画像に黒すじ等が現われるという問題が生じる。
【特許文献１】特開平１１−１０６０８６号公報
【特許文献２】特開平７−３２３６２６号公報
【発明の開示】
【発明が解決しようとする課題】
【０００７】
前述した問題を防止あるいは解消するためには、洗浄液を染み込ませた布などによって搬送ローラ９０９ａ，９０９ｂ及び従動ローラ９１０の搬送面を清掃する必要がある。ガイド部材９０６の上側に配置された搬送ローラ９０９ａ及び従動ローラ９１０は、原稿押圧板９０３を読取載置台９０２に対して閉じた状態で、上カバー９０８を開けることにより搬送ローラ９０９ａ及び従動ローラ９１０が露出されるとともにニップが解除されるので、容易に清掃を行なうことができる。また、駆動伝達される搬送ローラ９０９ａは、清掃に適した低速で回転させることにより、駆動伝達を切断することなく容易に搬送面の全周を清掃することができる。
【０００８】
しかしながら、ガイド部材９０６の下側であって読取位置Ｐ１の直上流及び直下流に配置された搬送ローラ９０９ｂと従動ローラ９１０とのニップは、前述したように、ガイド部材９０６が固定されているために開放することが不可能である。本体フレーム９０７側に配置された従動ローラ９１０は、原稿押圧板９０３を読取載置台９０２に対して開いた状態で、本体フレーム９０７の下側からアクセスすることが可能であるが、ガイド部材９０６に軸支された搬送ローラ９０９ｂは、原稿押圧板９０３の上側からも下側からもアクセスすることが困難であり、搬送ローラ９０９ｂを清掃するためには、ドライバ等の工具を用いて本体フレーム９０７からガイド部材９０６を取り外す必要があり、非常に面倒な作業であった。
【０００９】
本発明は、上記した事情や問題に鑑みてなされたものであり、自動原稿搬送機構を備えた画像読取装置において、工具等を用いてガイド部材を原稿押圧板から取り外すことなく、原稿読取位置の直上流及び直下流に配設された搬送ローラを容易に清掃することができる手段を提供することを目的とする。
【課題を解決するための手段】
【００１０】
当該目的を達成するために、請求項１に記載の画像読取装置は、画像読取手段を備えた装置本体の原稿読取面に対して原稿押圧板が開閉可能に設けられ、該原稿押圧板に、原稿トレイから排紙トレイへ連通された横向きＵ字状の搬送路と、該搬送路に配設されて原稿を搬送する搬送ローラと、該搬送路の前記原稿読取面と相対する位置に形成された原稿読取用開口とを備えた自動原稿搬送機構が装備された画像読取装置において、前記原稿押圧板に固定されて前記搬送路の内側ガイド面を構成するガイド部材に、前記原稿読取用開口の直上流の第１搬送ローラ及び直下流の第２搬送ローラが軸支され、該ガイド部材に、前記第１搬送ローラ及び第２搬送ローラを前記原稿読取用開口を通じて露出するアクセス部が凹設され、該アクセス部を覆って前記ガイド部材とともに内側ガイド面を構成するアクセス部カバーが、前記原稿読取用開口を通じて前記ガイド部材に着脱可能に設けられたことを特徴とする。
【００１１】
また、請求項２に記載の画像読取装置は、前記原稿押圧板の原稿読取用開口の下流側の搬送路に第２画像読取手段が配設され、前記第２搬送ローラが該第２画像読取手段の直上流の搬送ローラである請求項１記載の画像読取装置において、前記アクセス部カバーが、前記アクセス部の第２搬送ローラ側を覆うガイドカバーと、前記アクセス部の原稿読取用開口に対応する部分を覆うプラテンガイドとからなることを特徴とする。
【００１２】
また、請求項３に記載の画像読取装置は、前記プラテンガイドは、原稿搬送方向の一端側が前記ガイド部材に揺動自在に軸支されるとともに、該ガイド部材との間に介設された弾性部材により原稿読取用開口側へ付勢され、他端側に突設された係止片がガイド部材と係止することにより原稿読取用開口側への揺動限界が規制されたものであることを特徴とする。
【発明の効果】
【００１３】
請求項１に記載の画像読取装置によれば、前記原稿押圧板に固定されたガイド部材にアクセス部を凹設することにより、原稿読取用開口の直上流の第１搬送ローラ及び直下流の第２搬送ローラを原稿読取用開口を通じて露出されるので、原稿押圧板の下側から原稿読取用開口を通じて第１搬送ローラ及び第２搬送ローラを清掃することができる。
【００１４】
また、第１搬送ローラ及び第２搬送ローラの露出は、原稿押圧板を開いた状態で原稿読取用開口からアクセス部カバーを取り外すことにより容易に行うことができ、構成も簡易である。
【００１５】
請求項２に記載の画像読取装置によれば、前記原稿押圧板の原稿読取用開口の下流側の搬送路に第２画像読取手段が配設されることにより、前記第２搬送ローラが原稿読取用開口より下流側に配設された場合にも対応することができ、また、アクセス部カバーを、ガイドカバーとプラテンガイドとに分割することにより、原稿読取用開口からの着脱作業が容易となる。
【００１６】
請求項３に記載の画像読取装置によれば、簡易な構成により、確実にプラテンガイドをガイド部材に着脱可能とできる。さらに、原稿押圧板を閉じた際に、原稿読取用開口から原稿読取面へ搬送される原稿をの位置を一定に保つことができ、読取画質が安定する。
【発明を実施するための最良の形態】
【００１７】
図１は、本発明の実施の形態に係る画像読取装置であるコピー・ファクシミリ複合機１００の上部の断面を示す図である。図に示すように、該コピー・ファクシミリ複合機１００は、ＦＢＳとしての機能を有する読取載置台（装置本体）１０１と、自動原稿搬送機構としてＡＤＦ１を装備し、図２に示すように、読取載置台１０１の上面に対してヒンジ部材９０を介して開閉可能に設けられた原稿押圧板１０２とからなるものである。前記読取載置台１０１は、図１に示すように、略直方体の筐体１０の上面に、ＦＢＳにて原稿を読取る際の原稿読取面であるプラテンガラス１１と、ＡＤＦ１にて原稿の表面を読取る際の原稿読取面であるプラテンガラス１２とが設けられ、筐体１０内には原稿の画像を読取るＣＣＤ読取ユニット１３（画像読取手段）が内蔵されている。
【００１８】
前記コピー・ファクシミリ複合機１００を用いてＦＢＳにて原稿を読取るには、原稿押圧板１０２を開き、読取載置台１０１のプラテンガラス１１上に文書等の原稿を載置して原稿押圧板１０２を閉じ、該原稿に対してＣＣＤ読取ユニット１３を走査して画像読取りを行う。一方、ＡＤＦ１にて原稿の表面を読取るには、ＡＤＦ１により１枚ずつ搬送された原稿が、読取位置Ｐ１において読取載置台１０１のプラテンガラス１２上を通過する際に、該プラテンガラス１２の下方に移動したＣＣＤ読取ユニット１３で画像読取りを行う。
【００１９】
図２に示すように、前記読取載置台１０１は、原稿の読取り開始等を入力するための操作パネル１０３や、原稿押圧板１０２が読取載置台１０１の上面に接触しているか否かに基づき原稿押圧板１０２の開閉状態を感知する接触センサである開閉センサ１０４を具備している。なお、この開閉センサ１０４は原稿押圧板１０２に具備してあってもよく、また、原稿押圧板１０２に設けるマグネットの磁気を検出する磁気センサであってもよい。また、コピー・ファクシミリ複合機１００には、図示しないが、更に、記録用紙に画像を記録する画像記録部、画像を電送するための送信部、及び読取った画像を記録するための記録用紙を供給する給紙カセット等の周知の構成をも具備しており、また、これら周知の構成は一例且つ任意のものである。
【００２０】
ＣＣＤ読取ユニット１３は、読取位置へ光を照射する光源と、原稿からの反射光を所定の方向へ導くための複数の反射ミラーと、反射光を収束する集光レンズ１４と、該収束光を電気信号に変換して出力する電荷結合素子（Ｃｈａｒｇｅ  Ｃｏｕｐｌｅｄ  Ｄｅｖｉｃｅ、以下「ＣＣＤ」という。）１５とを備える所謂縮小光学系の読取ユニットであり、光源と一部の反射ミラーは、駆動機構によりプラテンガラス１１に対して水平に往復移動する走査部１６に配設されている。このように構成されたＣＣＤ読取ユニット１３は、ＦＢＳにて原稿を読取るときには、走査部１６がプラテンガラス１１に対して水平に移動しながらプラテンガラス１１上の原稿を走査し、該原稿からの反射光をＣＣＤ１５へ導いて結像する。また、ＡＤＦ１にて原稿を読取るときには、走査部１６がプラテンガラス１２の下方へ移動して、ＡＤＦ１により読取位置Ｐ１を通過する原稿の画像を走査し、該原稿からの反射光をＣＣＤ１５へ導いて結像する。なお、図には示していないが、ＣＣＤ読取ユニット１３により読取られて電気信号に変換された画像信号は、アナログ／デジタル変換、シェーディング処理等が施された後、プリンタ等の画像記録部により記録用紙に記録され、又はＣＯＤＥＣ等の送信部により電送される。
【００２１】
前記原稿押圧板１０２は、図２に示すように、ヒンジ部材９０等により読取載置台１０１の上面に対して開閉可能に設けられており、図３に示すように、本体フレーム１０２ａと該本体フレーム１０２ａに対して開閉可能なＡＤＦカバー１０２ｂとにより形成された空間内に前記ＡＤＦ１が装備されている。
【００２２】
前記ＡＤＦ１は、複数枚の原稿を積重状態で担持し原稿の供給部である原稿トレイ２と、横向き略Ｕ字状の搬送路３と、搬送後の原稿を積重状態で担持し原稿の排出部である排紙トレイ４と、原稿トレイ２上の原稿を搬送路３へ送り込む給紙ローラ５と、搬送路３において原稿をニップして搬送する搬送ローラ６ａ〜６ｄ及び従動ローラ７ａ〜７ｄと、搬送路３の出口付近に設けられた排紙ローラ８と、読取位置Ｐ２において原稿の裏面の画像読取りを行うＣＩＳ読取りユニット９とを具備してなるものである。該ＡＤＦ１により、原稿トレイ２から搬送路３へ繰り込まれた原稿が、横向き略Ｕ字状の搬送路３に沿って上方から下方へＵターンするように反転して読取位置Ｐ１に搬送されて、該読取位置Ｐ１を通過する際に前記ＣＣＤ読取ユニット１３により原稿の表面の画像が読取られ、更に搬送路３を搬送されて読取位置Ｐ２を通過する際にＣＩＳ読取ユニット９により原稿の裏面の画像が読取られ、その後、原稿トレイ２の下方の排紙トレイ４へ排出されるようになっている。なお、本コピー・ファクシミリ複合機１００による原稿の両面読取りは任意であり、片面読取りのみ行うことも勿論可能である。
【００２３】
原稿トレイ２は、原稿押圧板１０２の上部に、原稿を供給する方向へ若干傾斜させて設けられており、その上面において複数枚の原稿を積重状態で担持するようになっている。使用者が原稿トレイ２上に原稿を載置する場合には、原稿トレイ２の傾斜下端側に原稿の先端を搬送路３の入口に挿入するようにして載置する。なお、図には示していないが、原稿トレイ２には、原稿の幅方向の位置を規制して原稿の斜め送りを防止する可変式のガイドが設けられている。一方、排紙トレイ４は原稿トレイ２と上下２段となるように設けられており、原稿押圧板１０２の本体フレーム１０２ａに一体として形成されている。
【００２４】
搬送路３は、図３に示すように、原稿トレイ２から排紙トレイ４へ横向き略Ｕ字状に形成されており、その折返し部分の直下流で前記プラテンガラス１２と相対する読取位置Ｐ１を通過し、さらに読取位置Ｐ１の下流側の読取位置Ｐ２であるＣＩＳ読取ユニット９の下方を通過して排紙トレイ４へ連通している。該搬送路３は内側ガイド面と外側ガイド面とが所定の厚みの原稿が通過可能な一定間隔で対向することにより形成されており、本体フレーム１０２ａに配設されたガイド部材であるペーパガイド（ガイド部材）３０及び中間フレーム１０２ｃが内側ガイド面を構成し、本体フレーム１０２ａ及びＡＤＦカバー１０２ｂが外側ガイド面を構成している。なお、搬送路３の外側ガイド面を構成する部材は、本実施の形態で示した本体フレーム１０２ａ等に限定されるものではなく、本発明の要旨を変更しない範囲で他の形態をとり得るが、原稿押圧板１０２の本体フレーム１０２ａ及びＡＤＦカバー１０２ｂが外側ガイド面を構成する部材も兼ねるようにプラスチック材を用いて一体成形することにより、部品点数が削減され組付けも容易となるので好ましい。
【００２５】
給紙ローラ５は、搬送路３の入口付近においてＡＤＦカバー１０２ｂに配設されて、原稿トレイ２から繰り込まれた原稿と圧接しながら回転することにより該原稿を搬送路３へ送り込むものであり、例えば、金属製のローラ軸にシリコン製やＥＰＤＭ（Ｅｔｈｙｌｅｎｅ−Ｐｒｏｐｙｌｅｎｅ−Ｄｉｅｎｅ  Ｍｅｔｈｉｌｅｎｅ  ｌｉｎｋａｇｅ：エチレンプロピレンジエン三元共重合体）製のローラが固定されてなる。さらに、該給紙ローラ５の上流側には、原稿トレイ２に載置された原稿の最上紙を繰り出すためのピックアップローラ５０がＡＤＦカバー１０２ｂに配設されている。ピックアップローラ５０も、給紙ローラ５と同様に、原稿と圧接しながら回転することにより該原稿を搬送路３へ繰り込むものであり、不図示の給紙クラッチにより上下方向に揺動する揺動アーム５１に支持されている。該揺動アーム５１の揺動により、ピックアップローラ５０は、原稿トレイ２に原稿を載置する際等の通常の状態では搬送路３を開放するように上昇しており、原稿繰込み時に原稿の最上紙と接触するように降下し、ピックアップローラ５０及び給紙ローラ５が回転することにより、原稿の最上紙が搬送路３ヘ繰り込まれる。なお、ピックアップローラ５０は搬送路３の内側ガイド面に接触するまで降下可能であるので、原稿枚数により原稿の束の厚さが変化しても常に最上紙と接触可能である。また、図には示していないが、前記原稿トレイ２の原稿の有無は原稿セットセンサにより検知され、該検知信号に基づいて制御手段が給紙ローラ５、ピックアップローラ５０及び揺動アーム５１の動作を制御するものとなっている。
【００２６】
一方、前記給紙ローラ５の下方において中間フレーム１０２ｃに分離パッド５２が設けられている。該分離パッド５２は、原稿に対する摩擦係数が給紙ローラ５の原稿に対する摩擦係数より低く、且つ原稿同士の摩擦係数より高いものであり、例えばウレタン系樹脂で成形することが可能である。このような分離パッド５２が分離パッドホルダ５３の上面に貼設されている。該分離パッドホルダ５３は、搬送路３の内側ガイド面に揺動可能に嵌め込まれてコイルバネ５４により上方向に付勢されており、これにより、分離パッド５２が前記給紙ローラ５の搬送面に圧接され、該圧接部分を通過する原稿の厚みに応じて下方へ回動可能となっている。
【００２７】
また、前記中間フレーム１０２ｃには、ＣＩＳ読取ユニット９が装備されている。ＣＩＳ読取ユニット９は、所謂密着形イメージセンサ（Ｃｏｎｔａｃｔ  Ｉｍａｇｅ  Ｓｅｎｓｏｒ、以下「ＣＩＳ」という。）を用いたものであり、図に詳細は示していないが、光源により照射された原稿からの反射光を収束性ファイバで光導電素子上に収束して読取る固定式の読取手段である。該ＣＩＳ読取ユニット９は、図３に示すように、前記ＣＣＤ読取ユニット１３が位置する搬送路３の対向側且つ下流側において中間フレーム１０２ｃに配設されており、これにより、搬送ローラ６ｄと従動ローラ７ｄとの間に圧接されニップされ搬送されてきた原稿の裏面の画像を読取る。プラテンローラ１８はＡＤＦ本体１０２ａに配設され、搬送された原稿をＣＩＳ読取ユニット９に圧接するとともに、ＣＩＳ読取ユニット９の白色基準となるものである。一般に、ＣＩＳ読取ユニット９に採用されているＣＩＳは被写体深度が浅いので、前記プラテンローラ１８により原稿をニップした状態で画像読取りを行うものとしている。なお、ＣＩＳ読取ユニット９により読取られて電気信号に変換された画像信号も、前記ＣＣＤ読取ユニット１３と同様に、アナログ／デジタル変換、シェーディング処理等が施された後、プリンタ等の画像記録部により記録用紙に記録され、又はＣＯＤＥＣ等の送信部により電送される。
【００２８】
搬送ローラ６ａ〜６ｄは、給紙ローラ５により送り込まれた原稿を、夫々と対向する従動ローラ７ａ〜７ｄとの間に圧接しニップして搬送路３に沿って搬送し、読取位置Ｐ１及び読取位置Ｐ２を一定速度にて通過させ、さらに下流側の排紙ローラ８へ搬送するものである。搬送ローラ６ａ，６ｂは、横向き略Ｕ字状の搬送路３の折返し部分より上流側に位置し、給紙ローラ５により搬送路３に送り込まれてきた原稿を、搬送路３の折返し部分より下流側へ搬送するものである。一方、搬送ローラ（第１搬送ローラ）６ｃは、横向き略Ｕ字状の搬送路３の下流側であって読取位置Ｐ１の直上流に位置し、搬送ローラ（第２搬送ローラ）６ｄは、横向き略Ｕ字状の搬送路３の下流側であって読取位置Ｐ１の直下流に位置し、前記搬送ローラ６ａ，６ｂにより搬送されてきた原稿を、読取位置Ｐ１及び読取位置Ｐ２へ順次搬送するものである。したがって、原稿の表面を読取る読取位置Ｐ１に対して、搬送ローラ６ｃ，６ｄが原稿をニップして読取位置Ｐ１を所定速度で搬送し、原稿の裏面を読取る読取位置Ｐ２に対して、搬送ローラ６ｄ及び排紙ローラ８が原稿をニップして読取位置Ｐ２を所定速度で搬送するようになっている。
【００２９】
前記搬送ローラ６ａ〜６ｄは、図４に示すように、本体フレーム１０２ａに固定されたペーパガイド３０に回動自在に軸支された各ローラ軸６０ａ〜６０ｄに複数のローラ本体６１ａ〜６１ｄが軸方向に所定間隔でそれぞれ固定されてなるものであり、例えば、金属製のローラ軸にシリコン製やＥＰＤＭ製のローラが固定されてなり、本実施の形態では１本のローラ軸６０ａ〜６０ｄに４個のローラ本体６１ａ〜６１ｄが夫々設けられているが、ローラ本体６１ａ〜６１ｄの数や位置は、搬送すべき原稿のサイズ等を考慮して適宜設定される。
【００３０】
前記ペーパガイド３０は、図４に示すように、横向き略Ｕ字状の搬送路３の折返し部分より上流側の内側ガイド面を構成する上側ペーパガイド３１と、該上側ペーパガイド３１の両側に設けられたサイドフレーム３２とがプラスチック材により一体成形されており、更に、上側ペーパガイド３１の下側に、搬送路３の折返し部分より下流側の内側ガイド面をともに構成する下側ペーパガイド３３と、アクセス部カバーとなるガイドカバー３４及びプラテンガイド３５とが配設されてなるものである。以下、このペーパガイド３０の構成をさらに詳細に説明する。
【００３１】
上側ペーパガイド３１及びサイドフレーム３２のプラスチック材は、金型を用いて一体成形可能な合成樹脂であり、例えばＡＢＳやハイインパクトポリスチレン、これらにガラス繊維等の補強材を添加したものを用いることができる。上側ペーパガイド３１は、その上面の上流側が前記原稿トレイ２と同様に傾斜し、且つ下流側が下方へ向かって湾曲した形状の上部ガイド面３１０を有しており、該上部ガイド面３１０が、横向き略Ｕ字状の搬送路３の折返し部より上流側の内側ガイド面を構成する。該上部ガイド面３１０には紙送り用リブ３１１が幅方向に列設されており、上部ガイド面３１０を摺動しながら湾曲する原稿との接触面を少なくして該原稿に与える摩擦力を軽減している。
【００３２】
また、前記上部ガイド面３１０には、原稿の搬送方向と直交する方向に凹陥溝３１４が形成されている。該凹陥溝３１４は、上部ガイド面３１０に配設する搬送ローラ６ｂを収納するために、上部ガイド面３１０とともにペーパガイド３０に一体的に形成されており、搬送ローラ６ｂのローラ本体６１ｂの外形より若干大きな断面Ｕ字状の溝である。搬送ローラ６ｂのローラ本体６１ｂに対応する凹陥溝３１４の各位置では、前記紙送りリブ３１１が、凹陥溝３１４の上流壁及び下流壁から溝幅を狭める方向に突出されている。
【００３３】
サイドフレーム３２は、前記上側ペーパガイド３１の両側に一体成形されたものであり、搬送ローラ６ａ〜６ｄを支持するとともに、上側ペーパガイド３１を補強している。各サイドフレーム３２の周縁には、図５に示すように、補強リブ３２０が水平方向外側に突設されて、各サイドフレーム３２の剛性を高めている。該補強リブ３２０には適宜貫通孔３２１が穿設されており、これら貫通孔３２１にネジ等の固定具を挿通して、前記原稿押圧板１０２の本体フレーム１０２ａにペーパガイド３０をネジ止めにて固定する。また、両サイドフレーム３２には、各搬送ローラ６ａ〜６ｄのローラ軸６０ａ〜６０ｄが挿通される貫通孔３２２が夫々穿設されている。該貫通孔３２２に各ローラ軸６０ａ〜６０ｄが夫々挿通されて回転自在に支持されることにより、各搬送ローラ６ａ〜６ｄが上側ペーパガイド３１に対して所定位置に配設される。
【００３４】
図５は搬送ローラ６ａ〜６ｄの駆動伝達機構を示すものである。図には示していないが、該駆動伝達機構は前記サイドフレームの側方に配設されるものであり、図５に示すように、不図示の駆動モータ４００の駆動軸４０１に連結された駆動ギア４０２に、搬送ローラ６ｂのローラ軸６０ｂに連結された搬送ギア４０３と搬送ローラ６ｄのローラ軸６０ｄに連結された搬送ギア４０４とが噛合して駆動源から各ローラ軸６０ｂ，６０ｄに駆動伝達が行われており、搬送ローラ６ａのローラ軸６０ａに連結された搬送ギア４０８には中間ギア４０９を介して駆動伝達が行われている。さらに前記ローラ軸６０ｂに連結された搬送プーリ４０５から搬送ローラ６ｃのローラ軸６０ｃに連結された搬送プーリ４０６にベルト４０７が巻架され、前記駆動ギア４０２から搬送プーリ４０５，４０６を介してローラ軸６０ｃに駆動伝達が行われている。なお、これら駆動伝達機構は一例であり、他の駆動機構を採用することも勿論可能である。このような駆動伝達機構により上側ペーパガイド３１に軸支された各搬送ローラ６ａ〜６ｄが回転される。
【００３５】
また、前記上側ペーパガイド３１の下側に配設される下側ペーパガイド３３及びガイドカバー３４も、プラスチック材により夫々成形されたものであり、図６に示すように、上側ペーパガイド３１に下側ペーパガイド３３が配設され、該下側ペーパガイド３３にガイドカバー３４とプラテンガイド３５とが配設されて、横向き略Ｕ字状の搬送路３の折返し部分より下流側の内側ガイド面を構成する。該プラテンガイド３５は、読取位置Ｐ１において内側ガイド面として原稿の通過位置を規制するとともに、ＣＣＤ読取ユニット１３の白色基準として用いられるものである。下側ペーパガイド３３は、スナップフィットにより上側ペーパガイド３１に嵌着できるようになっている。また、ガイドカバー３４は、スナップフィットにより下側ペーパガイド３３に、前記本体フレーム１０２ａの画像読取用開口２０から嵌着できるようになっている。プラテンガイド３５は、下側ペーパガイド３３に形成された支軸３３９に支持されるとともに、本体フレーム１０２ａの画像読取用開口２０から下側ペーパガイド３３に嵌着できるようになっている。以下、これら下側ペーパガイド３３、ガイドカバー３４及びプラテンガイド３５について詳細に説明する。
【００３６】
下側ペーパガイド３３は、図４、図６及び図７に示すように、上側ペーパガイド３１の下側に配設されて、その下面３３０ａ，３３０ｂが搬送路３の折返し部分より下流側の内側ガイド面を構成するものである。下側ペーパガイド３３の下面３３０ａは、搬送路３の折返し部分より下流側の内側ガイド面の内、読取位置Ｐ１より上流側の内側ガイド面を構成する。一方、下側ペーパガイド３３の下面３３０ｂは、搬送路３の折返し部分より下流側の内側ガイド面の内、読取位置Ｐ１より下流側の内側ガイド面を構成する。下側ペーパガイド３３の上流端には、原稿幅方向に所定間隔で爪３３１が突設されており、両側壁には係止孔３３２ａが形成された突片３３２が水平方向外側に突設されている。一方、前記上側ペーパガイド３１には、搬送路３の折り返し部分に相当するガイド面３１０の下流端であって前記各爪３３１に対応する位置に係止孔３１６が夫々穿設されており、また、図６に示すように、上側ペーパガイド３１の両側付近であって前記突片３３２に対応する位置に鉤状の係止爪３１７が形成されている。図７に示すように、下側ペーパガイド３３の爪３３１が上側ペーパガイド３１の係止孔３１６に嵌挿されるとともに、図８に示すように、下側ペーパガイド３３の突片３３２の係止孔３３２ａに上側ペーパガイド３１の係止爪３１７が挿通されて、鉤部３１７ａにより突片３３２を係止することにより、上側ペーパガイド３１に下側ペーパガイド３３が組み付けられる。係止爪３１７は、上側ペーパガイド３１と一体成形された合成樹脂製のものであり、前記係止孔３３２に挿通させる際には上流側へ傾くように変形させることが容易なので、工具等を用いることなく下側ペーパガイド３３を上側ペーパガイド３１に組み付けることができる。
【００３７】
また、下側ペーパガイド３３には、図７及び図９に示すように、下面３３０ａと下面３３０ｂとの間、即ち読取位置Ｐ１にアクセス部３３３が凹設されている。該アクセス部３３３は、読取位置Ｐ１の直上流及び直下流の各搬送ローラ６ｃ，６ｄ間において下面３３０ａ，３３０ｂの幅方向に渡って凹設されており、上流側より下流側の凹みが大きい２段の凹みとなっている。該アクセス部３３３の上流側及び下流側の各上隅部には、前記各搬送ローラ６ｃ，６ｄのローラ本体６１ｃ，６１ｄに対応する位置に抜き穴３３４が形成されており、各抜き穴３３４から各ローラ本体６１ｃ，６１ｄの搬送面の一部が露出するようになっている。また、読取位置Ｐ１の上流側及び下流側の下面３３０ａ，３３０ｂにも抜き穴３３５が形成されており、該抜き穴３３５から各ローラ本体６１ｃ，６１ｄの搬送面の一部を露出させるようになっている。
【００３８】
ガイドカバー３４は、図４、図６、図７及び図９に示すように、下側ペーパガイド３３のアクセス部３３３の下流側を覆うように下側ペーパガイド３３に着脱可能に組み付けられるものである。ガイドカバー３４のの下面３４０は、下側ペーパガイド３３の下面３３０ｂから上流側に向かって連続するように設けられ、該下側ペーパガイドの下面３３０ｂとともに、搬送路３の読取位置Ｐ１の下流側の内側ガイド面を構成する。ガイドカバー３４の上流端には、原稿幅方向に所定間隔で切欠き３４１ａが形成された突片３４１が水平方向に突設されており、下流端には原稿幅方向に所定間隔で爪３４２が突設されている。一方、図６に示すように、下側ペーパガイド３３の２段構造のアクセス部３３３の上流部には鉤状の係止爪３３６が設けられており、アクセス部３３３の下流側の下隅部近傍には凹陥部３３７が形成されている。ガイドカバー３４の爪３４２が下側ペーパガイド３３の凹陥部３３７に嵌入されるとともに、下側ペーパガイド３３の係止爪３３６によりガイドカバー３４の突片３４１が係止されることにより、下側ペーパガイド３３にガイドカバー３４が組み付けられる。係止爪３３６は、下側ペーパガイド３３と一体成形された合成樹脂製のものであり、前記突片３４１に係止させる際には上流側へ傾くように変形させることが容易なので、工具等を用いることなく人手のみによりガイドカバー３４を下側ペーパガイド３３に着脱可能である。
【００３９】
プラテンガイド３５は、図４、図６、図７、図９及び図１０に示すように、下側ペーパガイド３３のアクセス部３３３の上流側を覆うように下側ペーパガイドに着脱可能に組み付けられるものである。プラテンガイド３５の下面３５０は、下側ペーパガイド３３の下面３３０ａとガイドカバー３４の下面３４０との間、即ち読取位置Ｐ１に対向する搬送路３の内側ガイド面を構成する。また、この下面３５０には、前記ＣＣＤ読取ユニット１３の白色基準となるべく白色のテープ３５０ａが貼り付けられている。図１０に示すように、プラテンガイド３５の両側には、原稿搬送方向の下流端に、起立部３５１が形成され、各起立部３５１に軸孔３５２が穿設されている。また、プラテンガイド３５の上流端には原稿幅方向に所定間隔で係止片である爪３５３が突設されている。一方、下側ペーパガイド３３の両側壁には、下端から垂直上方へ所定間隔で切欠きを設けることにより支持片３３８が夫々形成されており、支持片３３８の内側には支軸３３９が水平方向に突設されている。また、図７に示すように、アクセス部３３３の上流側の下隅部近傍には前記爪３５３に対応する位置に係止孔３５４が形成されている。プラテンガイド３５の爪３５３が下側ペーパガイド３３の係止孔３５４に係入されるとともに、プラテンガイド３５の軸孔３５２に下側ペーパガイド３３の支軸３３９が挿入されることにより、下側ペーパガイド３３にプラテンガイド３５が支軸３３９を軸として係止孔３５４の範囲内を揺動限界として揺動可能に組み付けられ、アクセス部３３３の上流部分に配設された弾性部材であるコイルスプリング３５６により該プラテンガイド３５は読取位置Ｐ１側方向である下方向に付勢されている。前記支持片３３８は、その両側の切欠きにより、支軸３３９を軸孔３５２に挿入させる際には外側へ傾くように変形させることが容易なので、工具等を用いることなくプラテンガイド３５を下側ペーパガイド３３に着脱可能である。また、プラテンガイド３５の下面３５０の両側部には、プラテンガラス１２との間隔を一定に保つための凸部３５５が形成されている。該凸部３５５が読取位置Ｐ１のプラテンガラス１２に当接することにより、プラテンガイド３５とプラテンガラス１２との間隔を常に一定に保ち、読取位置Ｐ１において原稿が一定位置を通過するように案内する。前述したように、該プラテンガイド３５は揺動可能であり下方向に付勢されているので、原稿押圧板１０２が完全に閉じられずに読取載置台１０１との間に若干の隙間が生じたような場合にも、プラテンガイド３５が揺動することにより、プラテンガイド３５とプラテンガラス１２との間隔が一定に保たれる。なお、本実施の形態では、前記プラテンガイド３５の下面３５０にテープ３５０ａを貼り付けてＣＣＤ読取ユニット１３の白色基準としているが、テープ３５０ａに代えてプラテンガイド３５の下面３５０を白色に塗装して白色基準とすることもできる。
【００４０】
このようにして、上側ペーパガイド３１に、下側ペーパガイド３３、ガイドカバー３４、及びプラテンガイド３５を順次組み付けることができる。また、各搬送ローラ６のローラ本体６１を清掃する際には、プラテンガイド３５及びガイドカバー３４を前記本体フレーム１０２ａの画像読取用開口２０を介して取り外せば、下側ペーパガイド３３のアクセス部３３３の抜き穴３３５を通じてローラ本体６１ｃ，６１ｄの搬送面にアクセスすることができるので、ペーパガイド３０を分解する必要がなく、また、プラテンガイド３５及びガイドカバー３４の着脱は工具等を用いることなく容易に行うことができる。また、下側ペーパガイド３３、ガイドカバー３４、及びプラテンガイド３５を、ネジ等の固定用の補材を用いることなく、スナップフィットにより上側ペーパガイド３１又は下側ペーパガイド３３に夫々固定するようにしたので、工具等を必要とせず人手のみにより組付作業及び分解作業を容易に行うことができる。
【００４１】
以下、前記本体フレーム１０２ａの構成を詳細に説明する。該本体フレーム１０２ａは、図１１に示すように、ペーパガイド３０の下側ペーパガイド３３のアクセス部３３３を覆うガイドカバー３４とプラテンガイド３５に対応する位置に画像読取用開口２０が形成されており、ペーパガイド３０が本体フレーム１０２ａに固定されると、プラテンガイド３５は画像読取用開口２０からプラテンガラス１２へ向かって突出する。該画像読取用開口２０は、図３に示すように、原稿押圧板１０２を読取載置台１０１に対して閉じた際にプラテンガラス１２に相対するものとなる。ペーパガイド３０に沿って搬送された原稿は、読取位置Ｐ１において該画像読取用開口２０から突出するプラテンガイド３５により、プラテンガラス１２から一定位置を通過するように案内され、ＣＣＤ読取ユニット１３（図１参照）により画像が読取りされる。該画像読取用開口２０の上流側及び下流側は、各々画像読取用開口２０から上方へ向かって傾斜した外側ガイド面２１，２２となっており、これら外側ガイド面２１，２２が、横向き略Ｕ字状の搬送路３の折返し部分より下流側であって読取位置Ｐ１の上流及び下流の外側のガイド面を構成し、ペーパガイド３０の下側ペーパガイド３３等の対向する内側のガイド面とともに搬送路３を構成する。
【００４２】
前記外側ガイド面２１，２２には、図１１に示すように、４つの切欠部２３，２４が夫々幅方向に所定間隔で形成されており、該切欠部２３，２４に前記搬送ローラ６ｃ，６ｄと対向する従動ローラ７ｃ，７ｄが夫々配設されて、そのローラ本体の一部が切欠き部２３，２４から夫々ガイド面２１，２２に露出している。これら従動ローラ７ｃ，７ｄが、前記ペーパガイド３０の折返し部分の下流側に配設される各搬送ローラ６ｃ，６ｄと夫々対向して、読取位置Ｐ１の直上流及び直下流において原稿をニップしながら搬送する。
【００４３】
さらに、前記ガイド面２２の下流側には、ＣＩＳ読取ユニット９と対向する前記プラテンローラ１８が配設される凹陥部２５が形成されている。また、ガイド面２２の最下流端には、前記切欠部２３，２４と同様に４つの凹陥部２６が形成されており、該凹陥部２６に排紙ローラ８が配設されている。
【００４４】
また、図１１に示すように、本体フレーム１０２ａの背面側には、前記ペーパガイド３０が配設される左側に切欠部２７Ｌが形成され、右側に本体フレーム１０２ａの底面を窪ませてなる凹部２７Ｒが形成されている。該切欠部２７Ｌ及び凹部２７Ｒは、原稿押圧板１０２を読取載置台１０１に対して枢支するヒンジ部材９０を取り付けるためのものであり、通常、左右一対に設けられる。該切欠部２７Ｌが形成された背面側、及び外側ガイド面２１，２２の正面側に適宜補強リブ２８が形成されており、切欠部２７Ｌの周囲にはヒンジ部材を本体フレーム１０２ａに固定するためのネジ孔２９が設けられ、外側ガイド面２１，２２の両側にも同様にペーパガイド３０を本体フレーム１０２ａに固定するためのネジ孔２９が設けられている。一方、凹部２７Ｒは、ヒンジ部材９０を取り付けるための周知の構成である。
【００４５】
このように構成された本体フレーム１０２ａの外側ガイド面２１，２２に、前記ペーパガイド３０の下側ペーパガイド３３等により構成される内側ガイド面を対向させて、ペーパガイド３０が本体フレーム１０２ａに固定される。また、図３に示すように、本体フレーム１０２ａの下面には、読取載置台１０１がＦＢＳとして機能するときにプラテンガラス１１上に載置された原稿を押圧する押圧パッド１９が接着にて固定される。
【００４６】
また、本体フレーム１０２ａには、図１２に示すように、ＡＤＦカバー１０２ｂが、支点Ｃ１にて軸支されることにより、本体フレーム１０２ａに対して開閉可能に配設されており、該ＡＤＦカバー１０２ｂを本体フレーム１０２ａに対して開けることにより、該ＡＤＦカバー１０２ｂに配設された前記給紙ローラ５、ピックアップローラ５０や従動ローラ７ａ，７ｂがともに回動して、搬送ローラ６ａ，６ｂと従動ローラ７ａ，７ｂとのニップをそれぞれ解除することができる。
【００４７】
また、本体フレーム１０２ａには、図１２に示すように、中間フレーム１０２ｃが、搬送ローラ６ａのローラ軸６０ａの軸心と同じ支点Ｃ２にて軸支されることにより、本体フレーム１０２ａに対して開閉可能に配設されており、該中間フレーム１０２ｃを本体フレーム１０２ａに対して開けることにより、該中間フレーム１０２ｃに配設されたＣＩＳ読取ユニット９や一方の排紙ローラ８がともに回動して、ＣＩＳ読取ユニット９とプラテンローラ１８とのニップ、及び排紙ローラ８のニップをそれぞれ解除することができる。
【００４８】
以下、前記コピー・ファクシミリ複合機１００において、ＡＤＦ１の搬送ローラ６ａ〜６ｄを清掃する手順を説明する。搬送ローラ６ａ，６ｂは、図１２に示したように、読取載置台１０１に対して原稿押圧板１０２を閉じた状態でＡＤＦカバー１０２ｂを開けることにより、搬送ローラ６ａ，６ｂと従動ローラ７ａ，７ｂとのニップをそれぞれ解除されるとともに、これらの搬送面が露出されるので、洗浄液を染み込ませた布などによって各搬送面を清掃することができる。
【００４９】
しかし、原稿読取用開口２０の直上流及び直下流に配設された搬送ローラ６ｃ，６ｄとこれらに対向する従動ローラ７ｃ，７ｄとのニップは、搬送ローラ６ｃ，６ｄを軸支するペーパガイド３０と従動ローラ７ｃ，７ｄを配設する本体フレーム１０２ａとがネジなどの固定具により固定されているので、この固定具を取り外さなければ解除することができない。したがって、コピー・ファクシミリ複合機１００においては、ＡＤＦ１の搬送ローラ６ｃ，６ｄは以下の手順で清掃を行う。
【００５０】
まず、ＡＤＦ１が装備された原稿押圧板１０２を、図２に示すように、読取載置台１０１に対して開き、図１３に示すように、本体フレーム１０２ａの下側から前記原稿読取用開口２０が露呈した状態とする。この状態では、搬送ローラ６ｃ，６ｄはまったく露出されていない。
【００５１】
次に、図１４に示すように、プラテンガイド３５をペーパガイド３０から前記原稿読取用開口２０を通じて、本体フレーム１０２ａの下側から取り外す。詳細には、図１０に示したペーパガイド３０の下側ペーパガイド３３の片方の支持片３３８の先端部を外側に向けて押圧して傾かせ、プラテンガイド３５の軸孔３５２から下側ペーパガイド３３の支軸３３９を外す。この時、プラテンガイド３５は図７に示したようにコイルスプリング３５６によって原稿押圧板１０２の下方向に付勢されているので、爪３５３にて下側ペーパガイド３３の係止孔３５４と係止したまま、その係止部を中心に少し回転するため、支持片３３８の押圧を解除しても、再び軸孔３５２に支軸３３９が嵌らない。更に、他方の支軸３３９からも、同様にプラテンガイド３５の反対側の軸孔３５２を外す。次に、ガイドカバー３４側にプラテンガイド３５を移動させ、下側ペーパガイド３３の係止孔３５４との係止からプラテンガイド３５の爪３５３を解除し、プラテンガイド３５を本体フレーム１０２ａの画像読取用開口２０から取り外す。前述したように、支持片３３８は、その両側の切欠きにより、支軸３３９を軸孔３５２に挿入させる際には外側へ傾くように変形させることが容易なので、工具等を用いることなく人手によりプラテンガイド３５を下側ペーパガイド３３から取り外すことができる。これにより、図に示すように、下側ペーパガイド３３のアクセス部３３３の抜き穴３３５から搬送ローラ６ｃのローラ本体６１ｃの搬送面の一部が、本体フレーム１０２ａの画像読取用開口２０に対して露出する。
【００５２】
次に、図１５に示すように、ガイドカバー３４をペーパガイド３０の下側ペーパガイド３３から本体フレーム１０２ａの画像読取用開口２０を通じて取り外す。詳細には、先ず、下側ペーパガイド３３の係止爪３３６の先端付近を上流側に向けて押圧し、係止爪３３６を変形させて傾かせ、ガイドカバー３４の突片３４１を係止爪３３６との係止を解除する。これとともに、ガイドカバー３４を下流側に移動させ、ガイドカバー３４の爪３４２を下側ペーパガイド３３の凹陥部３３７との嵌入から解除し、ガイドカバー３４を下側ペーパガイド３３から本体フレーム１０２ａの画像読取用開口２０を介して取り外す。前述したように、係止爪３３６は、下側ペーパガイド３３と一体成形された合成樹脂製のものであり、前記突片３４１に係止させる際には上流側へ傾くように変形させることが容易なので、工具等を用いることなく人手のみによりガイドカバー３４を下側ペーパガイド３３から取り外すことができる。これにより、図に示すように、下側ペーパガイド３３のアクセス部３３３の抜き穴３３４から搬送ローラ６ｄのローラ本体６１ｄの搬送面の一部が、本体フレーム１０２ａの画像読取用開口２０に対して露出する。
【００５３】
次に図１５に示す状態において、清掃モードにより搬送ローラ６ｃ，６ｄを回転させるが、以下、該清掃モードについて説明する。
図１６は、本コピー・ファクシミリ複合機１００の制御手段５００を示す図である。該制御手段５００は、操作パネル１０３（図２参照）の指示入力や、開閉センサ１０４から出力される開閉信号に基づいて、駆動モータ４００と電源５０１とを制御することにより、搬送ローラ６ａ〜６ｄの回転を制御する機能を有するものであり、ＭＰＵ（Micro Processing Unit）とＲＯＭ（Read Only Memory）を有して構成されている。ここで、ＭＰＵはバスを介してコピー・ファクシミリ複合機１００を構成する各部と接続されており、これらの各部の動作制御を行なう演算処理回路である。又、開閉センサ１０４は、原稿押圧板１０２の読取載置台１０１に対する開閉状態を感知し、原稿押圧板１０２が読取載置台１０１に対して開いている状態を感知すると開状態を示す開信号を、原稿押圧板１０２が読取載置台１０１に対して完全に閉じていている状態を感知すると閉状態を示す閉信号を、それぞれ制御手段５００に出力する。
【００５４】
制御手段５００は、コピー・ファクシミリ複合機１００のコピー機能、スキャナ機能、ファクシミリ機能等を使用するための通常モードの設定が操作パネル１０３から入力されており、かつ、開閉センサ１０４から開信号が入力されている場合に、電源５０１をＯＦＦすることにより、搬送ローラ６ａ〜６ｄを回転させない。一方、制御手段５００は、搬送ローラ６ａ〜６ｄの搬送面を清掃するための清掃モードの設定が操作パネル１０３から入力された時、開閉センサ１０４から開信号が入力されている場合に、電源５０１をＯＮに維持するとともに、駆動モータ４００を駆動させることにより、搬送ローラ６ａ〜６ｄを所定速度にて回転させる。
【００５５】
前記制御手段５００の制御動作について説明する。
まず、使用者などの指示入力者によって操作パネル１０３から通常モードが入力され設定されている場合について説明する。原稿押圧板１０２が読取載置台１０１に対して完全に閉じている状態を開閉センサ１０４が感知している時、開閉センサ１０４は閉信号を制御手段５００に出力する。制御手段５００は、この閉状態を示す感知情報に基づき、操作パネル１０３からの指示入力者による指示入力のみに基づき、電源５０１をＯＦＦさせずに駆動モータ４００を制御し、搬送ローラ６ａ〜６ｄを駆動する。
【００５６】
一方、通常モードが設定されている場合に、原稿押圧板１０２が開いている状態を開閉センサ１０４が感知している時、開閉センサ１０４は開信号を制御手段５００に出力する。制御手段５００は、この開信号に基づき、電源５０１をＯＦＦすることにより駆動モータ４００の駆動を停止するように制御することにより、搬送ローラ６ａ〜６ｄの回転を停止させる。これは、回転する搬送ローラ６ａ〜６ｄ等に布などが巻き込まれることを防止するためである。
【００５７】
次に、指示入力者によって操作部パネル１０３から清掃モードが入力され設定された場合について説明する。原稿押圧板１０２が閉信号または開信号の何れが開閉センサ１０４から入力されているかに関わらず、制御手段５００は、電源５０１をＯＦＦさせず駆動モータ４００を制御し、搬送ローラ６ａ〜６ｄを所定速度にて回転させる。この所定速度は、搬送ローラ６ａ〜６ｄの清掃に適した速度であればよく、原稿を搬送する搬送速度の内の遅い速度と同じ速度であってもよい。
【００５８】
前述した清掃作業においては、コピー・ファクシミリ複合機１００の原稿押圧板１０２を開いているので、開閉センサ１０４が、原稿押圧板１０２が開状態であることを感知し開信号を制御手段５００に出力し、制御手段５００はこの開信号に基づき電源５０１をＯＦＦにする。この状態で、前述したように、プラテンガイド３５、ガイドカバー３４が、原稿読取用開口２０を通じて、順次下側ペーパガイド３３から取り外される。
【００５９】
次に、指示入力者である清掃者が操作部パネル１０３から入力を行い清掃モードを設定する。清掃モードが設定されると、原稿押圧板１０２の開信号が開閉センサ１０４から入力されても、制御手段５００は、電源５０１をＯＮさせ駆動モータ４００を制御し、搬送ローラ６ａ〜６ｄを所定速度にて回転させる。搬送ローラ６ｃ，６ｄが回転すれば、原稿読取用開口２０を通じて、それぞれ露出するローラ本体６１ｃ，６１ｄの搬送面に洗浄液を染み込ませた布などを押し当てることにより、ローラ本体６１ｃ，６１ｄの搬送面すべてを清掃することができる。
【００６０】
更に、清掃後は、清掃者が操作部パネル１０３から入力を行い通常モードに設定した後、前記と逆の手順を辿ることによって、原稿押圧板１０２の下側ペーパガイド３３に、本体フレーム１０２ａの画像読取用開口２０を通じて、ガイドカバー３４、プラテンガイド３５の順に取り付ける。該取付作業も、工具等を用いることなく人手により容易に行うことができる。このように、原稿押圧板１０２からペーパガイド３０等を取り外すことなく、原稿押圧板１０２を開いた状態で画像読取用開口２０を通じてガイドカバー３４とプラテンガイド３５を着脱して、搬送ローラ６ｃ，６ｄのローラ本体６１ｃ，６１ｄを画像読取用開口２０を通じて露出させることができるので、搬送ローラ６ｃ，６ｄの清掃を容易に行うことができる。
【００６１】
したがって、ＡＤＦ１により多数の原稿を搬送するに伴い、原稿の未定着トナー、朱肉や筆記具のかすや紙粉などの異物が付着した搬送ローラ６ｃ，６ｄの搬送面から異物を除去することができ、読取位置Ｐ１の直上流の搬送ローラ６ｃを清掃することによって、その搬送面に付着した異物が後続の原稿によりプラテンガラス１２へ運ばれて付着し、読取り画像に黒すじとなって現われるという問題を防止あるいは解消することができる。また、読取位置Ｐ２の直上流の搬送ローラ６ｄを清掃することによっても、同様に、その搬送面に付着した異物がＣＩＳ読取ユニット９に付着して、読取り画像に黒すじとなって現われるという問題を防止あるいは解消することができる。また、搬送ローラ６ｄによって搬送される原稿に滑りが発生し、所定の速度を保った良好な搬送がなされず、読取り画像に歪みが起こるという問題を防止あるいは解消することができる。
【００６２】
なお、原稿押圧板１０２の搬送ローラ６ａ，６ｂや排紙ローラ８等は、前述したように、ＡＤＦカバー１０２ｂ及び中間カバー１０２ｃを開けることにより、ニップが解除されるとともに搬送面の一部が露出するので、この状態において、清掃者が操作パネル１０３から清掃モードを入力し設定することにより、搬送ローラ６ａ，６ｂ及び排紙ローラを回転させ、露出した搬送面に清掃者が洗浄液を染み込ませた布などを押し当てることにより、搬送面すべてを清掃することができる。
【００６３】
なお、本実施の形態では、コピー・ファクシミリ複合機１００がＣＣＤ読取ユニット１３及びＣＩＳ読取ユニット９により両面読取可能なものとして、原稿読取用開口２０の直下流の搬送ローラ６ｄが、ＣＣＤ読取ユニット１３に対しては読取後の搬送ローラとして機能し、且つＣＩＳ読取ユニット９に対しては読取前の搬送ローラとして機能するものとしたので、搬送ローラ６ｄの位置が読取位置Ｐ１と読取位置Ｐ２との中間付近となるように原稿読取用開口２０より下流側に配設されている。その結果、原稿読取用開口２０から若干離れている分だけアクセス部３３３が下流側へ広くなっている。また、搬送ローラ６ｃ，６ｄと対向する従動ローラ７ｃ，７ｄの配設位置を考慮すると、読取位置Ｐ１から搬送ローラ６ｃ，６ｄの配設位置まではある程度の距離が必要となる。したがって、原稿読取用開口２０部分を覆うプラテンガイド３５の他に、アクセス部３３３の下流側を覆うガイドカバー３４を別途に設けることにより、原稿読取用開口２０を通じてのガイドカバー３４及びプラテンガイド３５の着脱作業を容易なものとしたが、例えばコピー・ファクシミリ複合機１００にＣＩＳ読取ユニット９を設けずに片面読取専用機として用いるのであれば、読取位置Ｐ１において原稿を正確な一定速度にて搬送するためには、搬送ローラ６ｃ，６ｄを読取位置Ｐ１に近接する上流側及び下流側の搬送路３に配設することが好ましい。この場合には、前記アクセス部３３３を、上流側より下流側の凹みが大きい２段の凹みとせず、１段の凹みとしてもよい。また、前記ガイドカバー３４を設けずに、アクセス部カバー部材としてプラテンガイド３５のみにて、アクセス部３３３を覆うように構成してもよい。
【００６４】
また、本実施の形態で示したコピー・ファクシミリ複合機１００の構成は、本発明に係る画像読取装置の一態様にすぎず、本発明の要旨を逸脱しない範囲内で適宜設計変更できることは勿論であり、例えば、コピー機やファクシミリ機、スキャナ等の単独機としても実現可能である。
【産業上の利用可能性】
【００６５】
本発明に係る画像読取装置は、本発明は、自動原稿搬送機構を装備し、装置本体に対して開閉可能な原稿押圧板を有するスキャナ、ファクシミリ機、複写機等として利用することができる。
【図面の簡単な説明】
【００６６】
【図１】本発明の実施の形態に係るコピー・ファクシミリ複合機１００の上部の概略構成を示す断面図である。
【図２】原稿押圧板１０２を開けた状態のコピー・ファクシミリ複合機１００の上部外観を示す斜視図である。
【図３】コピー・ファクシミリ複合機１００の上部の概略構成を示す拡大断面図である。
【図４】ペーパガイド３０及び搬送ローラ６ａ〜６ｄの構成を示す分解斜視図である。
【図５】搬送ローラ６ａ〜６ｄの駆動伝達機構を示す断面図である。
【図６】ペーパガイド３０の構成を示す底面図である。
【図７】図６のＢ−Ｂ断面の一部を示す拡大断面図である。
【図８】図６のＣ−Ｃ断面の一部を示す拡大断面図である。
【図９】本体フレーム１０２ａとペーパガイド３０との読取位置Ｐ１付近を示す拡大断面図である。
【図１０】下側ペーパガイド３３へのプラテンガイド３５の組付けを示す分解斜視図である。
【図１１】本体フレーム１０２ａの構成を示す平面図である。
【図１２】ＡＤＦカバー１０２ｂ及び中間フレーム１０２ｃを開けた状態のコピー・ファクシミリ複合機１００の上部の概略構成を示す拡大断面図である。
【図１３】本体フレーム１０２ａの構成を示す底面図である。
【図１４】図１４に示す本体フレーム１０２ａからプラテンガイド３５を取り外した状態を示す底面図である。
【図１５】図１５に示す本体フレーム１０２ａからガイドカバー３４を取り外した状態を示す底面図である。
【図１６】コピー・ファクシミリ複合機１００の構成を示すブロック図である。
【図１７】従来のコピー・ファクシミリ複合機９００の上部の概略構成を示す断面図である。
【符号の説明】
【００６７】
１  ＡＤＦ（自動原稿搬送機構）
２  原稿トレイ
３  搬送路
４  排紙トレイ
６ａ，６ｂ  搬送ローラ
６ｃ  搬送ローラ（第１搬送ローラ）
６ｄ  搬送ローラ（第２搬送ローラ）
９  ＣＩＳ読取ユニット（第２画像読取手段）
１２  プラテンガラス（原稿読取面）
１３  ＣＣＤ読取ユニット（画像読取手段）
２０  原稿読取用開口
２１，２２  外側ガイド面
３０  ペーパガイド（ガイド部材）
３３  下側ペーパガイド（ガイド部材）
３４  ガイドカバー（アクセス部カバー）
３５  プラテンガイド（アクセス部カバー）
１００  コピー・ファクシミリ複合機（画像読取装置）
１０１  読取載置台（装置本体）
１０２  原稿押圧板
３３０ａ，３３０ｂ  下面（内側ガイド面）
３３３  アクセス部
３４０  下面（内側ガイド面）
３５０  下面（内側ガイド面）
３５３  爪（係止片）
３５６  コイルスプリング（弾性部材）
【図１】
2005167808.tif 000003
【図２】
2005167808.tif 000004
【図３】
2005167808.tif 000005
【図４】
2005167808.tif 000006
【図５】
2005167808.tif 000007
【図６】
2005167808.tif 000008
【図７】
2005167808.tif 000009
【図８】
2005167808.tif 000010
【図９】
2005167808.tif 000011
【図１０】
2005167808.tif 000012
【図１１】
2005167808.tif 000013
【図１２】
2005167808.tif 000014
【図１３】
2005167808.tif 000015
【図１４】
2005167808.tif 000016
【図１５】
2005167808.tif 000017
【図１６】
2005167808.tif 000018
【図１７】
2005167808.tif 000019